(57)【要約】【課題】稼働率を低下させることなしに、偽札投入を適確に抑制できる紙幣識別機及び偽札行使抑制方法を提供する。【解決手段】識別ユニット１は、自動販売機あるいは両替機等に搭載され、受け入れた紙幣Ｍ１の金種判定及び真贋判定を行うために、ＣＰＵ７０、識別精度設定スイッチ７１、抑止設定スイッチ７２を備える。ＣＰＵ７０には、前回判別時からの経過時間を計数する計時タイマカウンタ８、紙幣Ｍ１の真偽判別に際して標準判別基準を構成する標準識別用判定テーブル９、標準判別基準より高度の判別基準を構成する高識別用判定テーブル１０、及び抑止計数カウンタ１１が接続されている。抑止設定スイッチ７２をオンにしておけば、投入された紙幣Ｍ１の真偽判別結果に応じて、偽札抑止モードと、非抑止モードのいずれかに自動的に遷移して、その識別精度を切り替えることができる。【選択図】　　　図１
2004145688.tif 000002
【特許請求の範囲】
【請求項１】
挿入された紙幣の識別要素をチェックし、その真偽を判別するための紙幣識別機において、
前記紙幣から所定の情報を読み取って、その真偽を判別する紙幣情報判別手段と、
前記紙幣情報判別手段で偽札と判別する毎に前回判別時からの経過時間を計数する計時手段と、
前記紙幣情報判別手段での真偽判別に際して、前記計時手段の計時内容及び先行する真偽判別の結果に基づいて複数の判別基準のいずれかを選択してその識別精度を切り替えるモード切替手段と、
を備えることを特徴とする紙幣識別機。
【請求項２】
前記モード切替手段は、挿入された紙幣の真偽判別結果に応じて、偽札抑止モードと、非抑止モードに遷移するように設定するための抑止設定スイッチを有することを特徴とする請求項１記載の紙幣識別機。
【請求項３】
さらに、前記紙幣情報判別手段で判別された真偽結果を外部制御装置に通知する通信手段を備えることを特徴とする請求項１記載の紙幣識別機。
【請求項４】
請求項１記載の紙幣識別機を用いた偽札行使抑制方法において、
真券と判定されない紙幣がＮ回（Ｎは自然数）連続して挿入された場合に、識別精度を高精度に切り替えるとともに、前記偽札投入から所定時間経過した後に再び標準精度に復帰させることを特徴とする偽札行使抑制方法。
【発明の詳細な説明】
【０００１】
【発明の属する技術分野】
この発明は、挿入された紙幣の識別要素をチェックし、その真偽を判別するための紙幣識別機及び偽札行使抑制方法に関し、特に、自動販売機あるいは両替機等に搭載され効率よく稼動する紙幣識別機に関する。
【０００２】
【従来の技術】
従来から、紙幣識別機は、自動販売機あるいは両替機等に搭載され、受け入れた紙幣の金種判定及び真贋判定を行うために使用されている。
【０００３】
図３は、従来の紙幣識別機の一例を示すブロック図である。
識別ユニット１は、紙幣Ｍ１を受け入れるための挿入口２、搬送通路３の複数箇所に配置された搬送ローラ４、紙幣Ｍ１から各識別要素をチェックするための識別センサ５、受け入れた紙幣Ｍ２を一時貯蔵する紙幣保留部６などを備えている。挿入口２に挿入された紙幣Ｍ１は、搬送通路３に設けられた搬送ローラ４によって内部に搬入され、識別センサ５を通過したとき真券と判断されれば紙幣保留部６に保留される。
【０００４】
また、識別ユニット１には、紙幣Ｍ１が搬送通路３を通過する間に、その金種判定及び真贋判定を行うために、中央演算処理装置（ＣＰＵ）７０、識別精度設定スイッチ７１を備えた制御盤７が内蔵されていて、この制御盤７によって紙幣識別制御を司るようにしている。
【０００５】
識別ユニット１のＣＰＵ７０は、識別精度に応じてしきい値の異なる複数の識別用判定テーブル９，１０を備え、例えば標準識別判定と高識別判定とのいずれかを選択して真偽の判定が行われる。これは、後述する特許文献１に記載されているように、紙幣処理装置における紙幣の処理目的に応じて、識別精度を異なるように設定することが必要だからである。
【０００６】
このような識別ユニット１を備えた自販機などでは、紙幣Ｍ１が搬送通路３を通過する際に、そこに配置された透過式、あるいは反射式の光センサ又は磁気センサなどの識別センサ５によって、紙幣Ｍ１の磁気データや金種データ、番号データ及び色彩データなどの識別要素データ（真偽判定データ）を読み取り、それらのデータによって紙幣Ｍ１の真偽判定を行っている。すなわち、まず中央演算処理装置（ＣＰＵ）７０では、挿入された紙幣Ｍ１の挿入方向と金種、及びその真偽とを確定する。そして、紙幣Ｍ１からの真偽判定データが、確定された挿入方向と金種に応じて選択された識別用判定テーブル９又は１０のデータと比較されて、その真偽の判定を行い、真券と判定された場合だけ商品の販売が実行される。また、真偽判定データを全ての識別用判定テーブル９及び１０と比較し、どれか一つのテーブルのデータとマッチした場合に真券と判定したうえで、さらに金種や挿入方向を確定する方法もある。
【０００７】
ところで、最近では精度の高いカラー印刷やカラーコピーのための機器が普及しているので、自販機から商品や釣銭を詐取することを目的とする偽札の作成が簡単に行われてしまう。そこで、別の特許文献２によれば、貨幣識別レベルあるいは貨幣受入れレベルを変化させる制御手段を備え、偽貨などによる不正入出力が行われた場合に、自動販売機単体の被害を小さくする試みもなされていた。
【０００８】
【特許文献１】
特開平１−１９６６９０号公報
【特許文献２】
特開２００２−７４４７６号公報（段落番号〔００４４〕、図５）
【０００９】
【発明が解決しようとする課題】
このように、従来の紙幣識別機は、例えば紙幣処理目的の変更に応じて識別精度の切替えを行うもの、あるいは不正入出力の検出結果のように、人為的な変化の要因に基づいて識別精度の切替えを行うものなどのいずれかにより識別精度を切り替えるものであった。
【００１０】
そのため、前者では紙幣処理目的に応じて固定された識別精度でもって偽札に対処しようとすると、一度その紙幣識別機の識別精度が知られてしまうと、当該識別機に応じて意図的に精密な偽札を用意することが可能になって、偽札行使を抑制できないという問題があった（特許文献１）。
【００１１】
しかし、紙幣識別機の識別精度を一律に高く設定した場合には、正規の紙幣でも汚れた紙幣などに対して識別不能となって、自動販売機等の稼動効率を低下させることになる。したがって、後者のように、紙幣識別機の受入れ精度を人為的な変化の要因に基づいて再設定できるようにした場合でも、適確な識別精度を選択して、稼動効率を低下させずに偽札行使を抑制することは極めて困難であった（特許文献２）。
【００１２】
この発明の目的は、稼働率を低下させることなしに、偽札投入を適確に抑制できる紙幣識別機及び偽札行使抑制方法を提供することにある。
【００１３】
【課題を解決するための手段】
上記目的を達成するために、挿入された紙幣の識別要素をチェックし、その真偽を判別するための紙幣識別機が提供される。この紙幣識別機は、前記紙幣から所定の情報を読み取って、その真偽を判別する紙幣情報判別手段と、前記紙幣情報判別手段で偽札と判別する毎に前回判別時からの経過時間を計数する計時手段と、前記紙幣情報判別手段での真偽判別に際して、前記計時手段の計時内容及び先行する真偽判別の結果に基づいて複数の判別基準のいずれかを選択してその識別精度を切り替えるモード切替手段と、から構成される。
【００１４】
この紙幣識別機では、挿入された紙幣の識別結果によって識別精度を自動的に変更するようにしたので、紙幣識別機の識別精度を情況に合わせて適確に設定できる。
【００１５】
また、この発明の請求項１記載の紙幣識別機を用いた偽札行使抑制方法では、真券と判定されない紙幣がＮ回（Ｎは自然数）連続して挿入された場合に、識別精度を高精度に切り替えるとともに、前記偽札投入から所定時間経過した後に再び標準精度に復帰させるようにしている。
【００１６】
【発明の実施の形態】
以下、この発明の実施の形態について、図面を参照して説明する。
図１は、この発明の紙幣識別機の構成を示すブロック図である。
【００１７】
識別ユニット１は、自動販売機あるいは両替機等に搭載され、受け入れた紙幣Ｍ１の金種判定及び真贋判定を行うものであって、図３に示す従来装置と同様に、使用された紙幣Ｍ１を受け入れるための挿入口２、搬送通路３の複数箇所に配置された搬送ローラ４、紙幣Ｍ１から各識別要素をチェックするための識別センサ５、受け入れた紙幣Ｍ２を一時貯蔵する紙幣保留部６などを備えている。挿入口２に挿入された紙幣Ｍ１は、搬送通路３に設けられた搬送ローラ４によって内部に搬入され、識別センサ５を通過したとき真券と判断されれば紙幣保留部６に保留される。
【００１８】
また、識別ユニット１には、紙幣Ｍ１が搬送通路３を通過する間に、紙幣Ｍ１の金種判定及び真贋判定を行うために、中央演算処理装置（ＣＰＵ）７０、識別精度設定スイッチ７１、及び抑止設定スイッチ７２を備えた制御盤７が内蔵されていて、この制御盤７によって紙幣識別制御を司るようにしている。
【００１９】
さらに、制御盤７には、ＣＰＵ７０で偽札と判別する毎に前回判別時からの経過時間を計数する計時タイマカウンタ８、紙幣Ｍ１の真偽判別に際して標準判別基準を構成する標準識別用判定テーブル９、標準判別基準より高度の判別基準を構成する高識別用判定テーブル１０、及び抑止計数カウンタ１１などが設けられている。なお、制御盤７と自動販売機あるいは両替機等の外部制御装置とは、紙幣Ｍ１の真偽判別結果などを通知するための通信手段（図示せず。）で接続されている。
【００２０】
ＣＰＵ７０では、紙幣Ｍ１の真偽判定データが、確定された挿入方向と金種に応じた識別用判定テーブルのデータと比較され、その真偽の判定を行う。ここでは、識別精度設定スイッチ７１をオンにした場合には識別レベルは高く（高識別判定）なり、識別精度設定スイッチ７１を抑止設定スイッチ７２とともにオフにした場合には識別レベルは低く（標準識別判定）なる点では、従来のものと同じである。しかし、識別精度設定スイッチ７１がオフであっても、抑止設定スイッチ７２がオンの場合には、先行して挿入された紙幣Ｍ１の真偽判別結果に応じて、偽札抑止モード、あるいは非抑止モードのいずれかに自動的に遷移することにより、識別精度を切り替えるモード切替手段が設けられている点に、この発明の紙幣識別機の特徴がある。
【００２１】
なお、図１では、識別精度設定スイッチ７１をオン、抑止設定スイッチ７２はオフにした状態として、紙幣識別機を示している。
つぎに、上述した紙幣識別機の動作を説明する。図２は、図１の紙幣識別機の動作を示すフローチャートである。
【００２２】
いま、挿入口２ａで紙幣が検出されると、紙幣投入を検出するためのステップＳ１からステップＳ２に進む。ステップＳ２では、搬送通路３に紙幣を送り込む紙幣搬送動作と、識別センサ５で紙幣データを収集して、紙幣の金種、及び紙幣挿入方向が確定され、その後にステップＳ３に進む。
【００２３】
初期状態では非抑止モードに設定され、ステップＳ３では、識別精度設定スイッチ７１のオンオフ状態に応じて、次のステップＳ４、又はステップＳ５のいずれかに進むよう判断される。
【００２４】
すなわち、いま識別精度設定スイッチ７１がオン状態であるから、ステップＳ４に進んで高識別判定が行われる。しかし、識別精度設定スイッチ７１がオフ状態であればステップＳ５からステップＳ６に進んで、標準識別判定が行われる。なお、識別精度設定スイッチ７１がオフであっても、抑止設定スイッチ７２がオンになっていれば、後述するステップＳ１４で偽札抑止モードに遷移している場合には、ステップＳ５からステップＳ４に進んで高識別判定が行われる。
【００２５】
ステップＳ６に進んだ場合には、標準識別判定の結果に基づいてステップＳ７に進み、ステップＳ７では、その識別結果の合否判定が行われた後に、ステップＳ８、ステップＳ９のいずれかに進む。
【００２６】
ステップＳ７で識別結果が合格と判定されるとステップＳ８に進み、そのとき抑止設定スイッチ７２がオンであれば、ステップＳ８からステップＳ１０に進んで偽札抑止モードが解除されるとともに、抑止計数カウンタ１１の置数内容がクリアされ、ステップＳ１１に進む。このステップＳ１１では、収金、又は返金指示を待ち、真偽結果を外部制御装置に通知する通信手段からの指示に基づいて、自販機などの商品販売結果に応じた収金動作、あるいは返金動作が実行される。
【００２７】
ステップＳ７で識別結果が不合格と判定された場合にはステップＳ９に進む。そのとき抑止設定スイッチ７２がオンであれば、ステップＳ９からステップＳ１２に進んで、抑止計数カウンタ１１の置数内容に＋１だけ加算され、ステップＳ１３に進む。ここでは、抑止計数カウンタ１１のカウント値が５以上であれば、ステップＳ１３からステップＳ１４に進む。ステップＳ１４では、偽札抑止モードに遷移させるとともに、計時タイマカウンタ８の計時動作をスタートさせる。
【００２８】
このように、識別精度設定スイッチ７１がオフであって、抑止設定スイッチ７２がオンに設定されている場合には、その時点でのモードが偽札抑止モードであれば高識別判定が、非抑止モードであれば標準識別判定が行われる。しかし、識別精度設定スイッチ７１がオンに設定されている場合には、偽札抑止モードに遷移しているか否かにかかわらず、ステップＳ４で高識別判定が行われる。
【００２９】
ステップＳ４での判定結果に基づいて、ステップＳ１５では、その識別結果の合否判定が行われ、ステップＳ８、ステップＳ１６のいずれかに進む。ステップＳ１６では、挿入された紙幣が偽札、あるいは識別不能な紙幣であるとして、返却される。
【００３０】
その後、前回の紙幣挿入に続いて新たな紙幣の挿入があった場合に、その識別結果が合格となる紙幣であれば、上述した手順でステップＳ１からステップＳ１１までの動作が実行され、その識別結果が不合格となる紙幣であればステップＳ１６までの動作が実行される。また、紙幣の挿入がないタイミングでは、ステップＳ１からステップＳ１７〜ステップＳ１９に示す各動作が実行される。すなわち、先行して挿入された紙幣Ｍ１の真偽判別後のステップＳ１４で偽札抑止モードに遷移しており（ステップＳ１７）、かつ遷移してから３０分以上時間が経過している場合（ステップＳ１８）にはステップＳ１９に進んで、偽札抑止モードが解除されるとともに、計時タイマカウンタ８での計時動作が停止される。
【００３１】
このように、上述した紙幣識別機では、ステップＳ６の標準識別判定で挿入された紙幣が真券であると判断された場合に、ステップＳ７からＳ８に進み、抑止設定スイッチ７２がオンであれば、ステップＳ１４で設定された偽札抑止モードが解除され、抑止計数カウンタ１１の置数内容もクリアされる（ステップＳ１０）。ステップＳ６で偽札とされた場合には、ステップＳ１２で抑止計数カウンタ１１の置数内容を＋１だけ加算することにより、偽札が連続して５回挿入されたときに偽札抑止モードに遷移させて、その後は高識別判定を行うようにしている。
【００３２】
すなわち、識別精度設定スイッチ７１がオフで抑止設定スイッチ７２がオンの場合には、紙幣の受入れ精度を先行する紙幣の判別情況によって、自動的に抑止モードに切り替えるようにしたので、紙幣識別機の識別精度を見越した偽札の連続的な使用を確実に防止できる。したがって、識別精度を標準識別判定によって判定することにより、真券であれば汚れた紙幣なども受入れ可能になるため、自販機等の稼働率を低下させることなしに、偽札投入を適確に抑制できる。また、識別精度設定スイッチ７１をオンに切り替えておくことによって、紙幣の識別精度を一律に高く設定することも可能である。
【００３３】
なお、ＣＰＵ７０での真偽判別に際して用いる判別基準は、ここでは標準識別用判定テーブル９と高識別用判定テーブル１０との２種類としたが、２種類以上の判別基準を用いることも可能である。また、上述の説明は偽札行使の限度回数が５回に設定された場合であるが、その回数は、５回より少なく、あるいは５回より多い回数などに任意に変更することができる。さらに、標準精度に復帰させるまでの経過時間の制限についても、上述の３０分に限定されないことは言うまでもない。
【００３４】
また、上述した実施の形態では、真券を１枚受け入れた場合に抑止モードが解除される（ステップＳ１０）こととしているが、このステップＳ１０では抑止計数カウンタ１１の置数内容をクリアするだけとして、その後の真券の受入れ回数に応じて、例えば５枚連続して真券が挿入されたときに、抑止モードを解除することもできる。
【００３５】
【発明の効果】
以上に説明したように、この発明の紙幣識別機によれば、自動販売機あるいは両替機等に搭載され、受け入れた紙幣の金種判定及び真偽判定を行うために使用した場合に、真偽判定精度を自動的に変更するようにしたので、自動販売機あるいは両替機等の稼働率を低下させることなしに、偽札の投入を適確に抑制することができる。
【００３６】
また、この発明の紙幣識別機を用いた偽札行使抑制方法では、真券と判定されない紙幣がＮ回（Ｎは自然数）連続して挿入された場合に、識別精度を高精度に切り替えるとともに、偽札投入から所定時間経過した後に再び標準精度に復帰させるようにしたので、紙幣識別機の受入れ精度を人為的な要因に基づいて、例えば識別精度設定スイッチなどによって設定した場合であっても、適確な識別精度を選択して、偽札行使を抑制することができる。
【図面の簡単な説明】
【図１】この発明の紙幣識別機の構成を示すブロック図である。
【図２】図１の紙幣識別機の動作を示すフローチャートである。
【図３】従来の紙幣識別機の一例を示すブロック図である。
【符号の説明】
１　識別ユニット
２　挿入口
３　搬送通路
４　搬送ローラ
５　識別センサ
６　紙幣保留部
７　制御盤
８　計時タイマカウンタ
９　標準識別用判定テーブル
１０　高識別用判定テーブル
１１　抑止計数カウンタ
７０　中央演算処理装置（ＣＰＵ）
７１　識別精度設定スイッチ
７２　抑止設定スイッチ
【図１】
2004145688.tif 000003
【図２】
2004145688.tif 000004
【図３】
2004145688.tif 000005